(57)【要約】【課題】任意の場所から必要な時に工場内の機械の運転／停止状態を確認できるようにして、担当者の工場内の見回り負担を軽減する。【解決手段】本発明に係る監視装置は、機械の停止信号Ｎｏ．１Ｒｙ２〜Ｎｏ．５Ｒｙ２を音声信号に変換する音声変換手段３０と、外部から掛かってきた電話に対して音声変換手段３０の音声信号に基づく音声を伝えることができる監視用電話機４０とを有することを特徴とする。このため、監視用電話機４０に対して電話を掛けて、音声が聞こえるか否かで機械の運転／停止状態を確認できる。【選択図】　　　図２
2004023550.tif 000002
【特許請求の範囲】
【請求項１】
機械の運転信号あるいは停止信号を音声信号に変換する音声変換手段と、
外部から掛かってきた電話に対して前記音声変換手段の音声信号に基づく音声を伝えることができる監視用電話機と、
を有することを特徴とする監視装置。
【請求項２】
請求項１に記載の監視装置であって、
音声変換手段は、
機械の運転状態あるいは停止状態を表示する表示ランプの光を検出可能な光センサーと、
光センサーの動作信号を受けて音声信号を発生させる音声発生手段と、
を有することを特徴とする監視装置。
【請求項３】
請求項２に記載の監視装置であって、
光センサーは、表示ランプを覆う遮光性のケース内にその表示ランプとほぼ対向して取付けられていることを特徴とする監視装置。
【請求項４】
請求項２、請求項３のいずれかに記載の監視装置であって、
光センサーは各々の機械毎に設けられており、
音声発生手段はクロックパルス信号を受けて各々の機械に対応する音声信号を一定時間間隔で順番に発生させることができるように構成されていることを特徴とする監視装置。
【請求項５】
請求項１から請求項４のいずれかに記載の監視装置であって、
監視用電話機は、機械の停止状態に対応する音声信号が入力されたときに、所定の電話番号の電話機に対して発信可能な自動発信機能を備えていることを特徴とする監視装置。
【発明の詳細な説明】
【０００１】
【発明の属する技術分野】
本発明は、機械の運転／停止状態を別の場所から確認するための監視装置に関する。
【０００２】
【従来の技術】
近年、工作機械等を無人で自動運転させて素材の加工等を行うことが一般的に行われている。この場合、工作機械の担当者は定期的に工場内を見回ることでその工作機械の運転状況を目視確認するようにしている。
【０００３】
【発明が解決しようとする課題】
しかし、工作機械等を連続運転（２４時間／日）する場合、深夜の工場内の見回りは担当者に過大な負担を掛ける。
本発明は、上記問題点に鑑みなされたもので、例えば、事務所や自宅から工場内の工作機械等の運転／停止状態を確認可能にすることを目的とする。
【０００４】
【課題を解決するための手段】
上記した課題は、各請求項の発明によって解決される。
請求項１の監視装置は、機械の運転信号あるいは停止信号を音声信号に変換する音声変換手段と、外部から掛かってきた電話に対して前記音声変換手段の音声信号に基づく音声を伝えることができる監視用電話機とを有することを特徴とする。
【０００５】
本発明によると、音声変換手段により、例えば、機械の停止信号を音声信号に変換できるようにしておけば、機械が何らかの原因で停止したときに音声信号が発せられる。即ち、機械の停止中は音声が聞こえ、機械の運転中は無音となる。このため、監視用電話機に対して電話を掛けて、音声が聞こえるか否かで機械の運転／停止状態を確認できる。したがって、任意の場所から必要な時に機械の運転／停止状態を確認できるようになり、担当者の工場内の見回り負担を軽減できる。
なお、機械の運転信号を音声信号に変換できるようにし、音声が聞こえるときを機械の運転中、無音のときを機械の停止中とすることも可能である。
【０００６】
また、請求項２に示すように、機械の運転状態あるいは停止状態を表示する表示ランプの光を検出可能な光センサーと、光センサーの動作信号を受けて音声信号を発生させる音声発生手段とから音声変換手段を構成するようにすれば、機械側を改造することなくその機械の運転状態の音声信号あるいは停止状態の音声信号を得ることができる。
また、請求項３に示すように、表示ランプを覆う遮光性のケース内にその表示ランプとほぼ対向して光センサーを取付けるようにすれば、表示ランプの光が微弱であっても光センサーを確実に動作させることができる。
【０００７】
また、請求項４の発明によると、光センサーは各々の機械毎に設けられており、音声発生手段はクロックパルス信号を受けて各々の機械に対応する音声信号を一定時間間隔で順番に発生させることができるように構成されている。
このため、例えば、光センサーが機械の停止状態を検出したときに音声発生手段が音声信号を発生させるように構成しておけば、全ての機械が停止した状態で音声発生手段は各機械に対応する音声信号を一定時間間隔で順番に発生させる。また、一部の機械が停止し、他の機械が運転している状態では、停止している機械の順番が回ってきたときに、音声発生手段はその機械に対応する音声信号を発生させる。これによって、複数台の機械の運転／停止状態を確認できるようになる。
【０００８】
また、請求項５の発明によると、監視用電話機は、機械の停止状態に対応する音声信号が入力されたときに、所定の電話番号の電話機に対して発信可能な自動発信機能を備えているため、担当者は速やかに機械の停止状態を知ることができる。
【０００９】
【発明の実施の形態】
（実施形態１）
以下、図１から図５に基づいて本発明の実施形態１に係る監視装置の説明を行う。本実施形態に係る監視装置は、工作機械の運転状態を音声信号により監視する装置であり、図１が監視装置の接点増幅器の構成図、図２が監視装置の音声発生装置及び監視用電話機の構成図である。また、図３は接点増幅器のセンサー部の縦断面図（Ａ図）、斜視図（Ｂ図）、図４は接点増幅器の電気回路図である。監視装置１０は、図１、図２に示すように、複数の接点増幅器２０と音声発生装置３０と監視用電話機４０とから構成されている。
【００１０】
接点増幅器２０は、Ｎｏ．１工作機械Ｍ１〜Ｎｏ．５工作機械Ｍ５に対応して５セット設けられており、各々の工作機械Ｍ１〜Ｍ５における運転表示ＬＥＤ２（以下、運転表示ランプ２という）の光信号を接点出力信号に変換する。
接点増幅器２０は、センサー部２４と電気回路部２６とから構成されている。センサー部２４は、図３に示すように、工作機械Ｍ１〜Ｍ５の運転表示ランプ２の光を検知する部分であり、光センサー２４ｓを備えている。ここで、光センサー２４ｓには、例えば、光導電セルが使用される。光導電セルは、硫化カドニウムを主成分とする光導電素子の一種であり、照射される光量の増加に伴なって抵抗値が減少する。
【００１１】
光センサー２４ｓは、図３（Ａ）に示すように、センサー部２４を構成する固定ブロック２４ｃの凹部２４ｈ内に取付けられている。固定ブロック２４ｃは、各工作機械Ｍ１〜Ｍ５の運転表示ランプ２の位置に固定される遮光性のブロックであり、各工作機械Ｍ１〜Ｍ５の表面に面接触可能な平滑面２４ｆを備えている。そして、その平滑面２４ｆの所定位置に前述の凹部２４ｈが形成されている。
【００１２】
固定ブロック２４ｃの凹部２４ｈは、各工作機械Ｍ１〜Ｍ５の表面に設けられた運転表示ランプ２を囲うことができる開口面積を備えている。さらに、凹部２４ｈの深さ寸法は、その凹部２４ｈの底面に光センサー２４ｓを固定した状態で、光センサー２４ｓの受光面２４ｒが凹部２４ｈの開口から約０．５ｍｍ〜１ｍｍ程度内側に入り込む値に設定されている。このため、図３（Ａ）に示すように、固定ブロック２４ｃの平滑面２４ｆが各工作機械Ｍ１〜Ｍ５に固定され、その固定ブロック２４ｃの凹部２４ｈの開口が運転表示ランプ２を囲んだ状態で、運転表示ランプ２から光センサー２４ｓの受光面２４ｒまでの距離は約０．５ｍｍ〜１ｍｍに設定される。
【００１３】
上記構成により、各工作機械Ｍ１〜Ｍ５の運転表示ランプ２は固定ブロック２４ｃの凹部２４ｈによって外部からの光を遮断された状態で覆われる。このため、運転表示ランプ２の光が微弱であっても光センサー２４ｓを確実に動作させることができる。即ち、固定ブロック２４ｃの凹部２４ｈが本発明のケースに相当する。
ここで、固定ブロック２４ｃの平滑面２４ｆは、例えば、両面接着テープ２５で工作機械Ｍ１〜Ｍ５の表面に固定される。また、固定ブロック２４ｃには、各工作機械Ｍ１〜Ｍ５の運転表示ランプ２の代わりとなる運転表示補助ランプ２８が取付けられている。運転表示補助ランプ２８は発光ダイオード（ＬＥＤ）であり、後記する電気回路部２６からの信号により各工作機械Ｍ１〜Ｍ５の運転表示ランプ２と同期して点灯あるいは消灯される。
【００１４】
接点増幅器２０の電気回路部２６は、図４に示すように、抵抗Ｒ１〜Ｒ４、トランジスタＴｒ及びリレーＲｃ（Ｒｙ１、Ｒｙ２はリレー接点）とから構成される。
抵抗Ｒ２、可変抵抗Ｒ３、光センサー２４ｓ及び抵抗Ｒ４は直列状態で電源（＋Ｖ、０）に接続されている。そして、光センサー２４ｓと抵抗Ｒ４との接続部分がトランジスタＴｒのベースＢに接続されている。トランジスタＴｒのコレクタＣはリレーＲｃ（コイル）を介して＋Ｖボルトラインに接続されており、トランジスタＴｒのエミッタＥは０ボルトラインに接続されている。
【００１５】
このため、光センサー２４ｓが運転表示ランプ２の光を検出して抵抗値が所定値よりも低下すると、トランジスタＴｒのベースＢに加わる電圧が基準値よりも上昇して、そのトランジスタＴｒのコレクタＣとエミッタＥ間が導通する。これによって、リレーＲｃ（コイル）が励磁され、リレーＲｃのａ接点Ｒｙ１がオンし、ｂ接点Ｒｙ２がオフする。即ち、各工作機械Ｍ１〜Ｍ５が運転状態でリレーＲｃのａ接点Ｒｙ１がオン、ｂ接点Ｒｙ２がオフする。
【００１６】
また、運転表示ランプ２が消えて、光センサー２４ｓの抵抗値が所定値まで上昇すると、トランジスタＴｒのベースＢに加わる電圧が基準値よりも低下して、トランジスタＴｒのコレクタＣとエミッタＥ間の導通が解除される。これによって、リレーＲｃ（コイル）の励磁が解除され、リレーＲｃのａ接点Ｒｙ１がオフし、ｂ接点Ｒｙ２がオンする。即ち、各工作機械Ｍ１〜Ｍ５が停止状態でリレーＲｃのａ接点Ｒｙ１がオフ、ｂ接点Ｒｙ２がオンする。
【００１７】
リレーＲｃのａ接点Ｒｙ１、運転表示補助ランプ２８及び抵抗Ｒ１は直列状態で電源（＋Ｖ、０）に接続されている。このため、運転表示補助ランプ２８は、リレーＲｃのａ接点Ｒｙ１がオンすれば点灯し、ａ接点Ｒｙ１がオフすれば消灯する。したがって、運転表示補助ランプ２８は、各工作機械Ｍ１〜Ｍ５が運転状態で点灯し、各工作機械Ｍ１〜Ｍ５が停止状態で消灯し、各工作機械Ｍ１〜Ｍ５の運転表示ランプ２と同期するようになる。このため、固定ブロック２４ｃで運転表示ランプ２が覆われていても、運転表示補助ランプ２８の働きで、各工作機械Ｍ１〜Ｍ５の運転／停止状態を機側で確認することができる。
【００１８】
次に、図２に基づいて、音声発生装置３０の説明を行う。音声発生装置３０は、各工作機械Ｍ１〜Ｍ５に対応する接点増幅器２０の出力信号（ｂ接点Ｒｙ２のオンオフ信号）を受けてそれらの工作機械Ｍ１〜Ｍ５が停止状態のときに、各工作機械Ｍ１〜Ｍ５に対応する音声信号を発生させる。また、音声発生装置３０は、各工作機械Ｍ１〜Ｍ５に対応する音声とは全く別の音声を後記するタイミングで発生させる機能を有している。
【００１９】
音声発生装置３０は、クロックパルスを発生させるパルス発生器３２と、そのクロックパルスに基づいてＮｏ．０〜Ｎｏ．５の六種類のパルス信号を発生させる非同期カウンタ３４と、非同期カウンタ３４から出力されたＮｏ．０パルス信号〜Ｎｏ．５パルス信号を受けて各パルス信号毎に異なる音声信号を発生させる音声発生器３６とから構成されている。
【００２０】
パルス発生器３２は２秒から３秒の間でクロックパルスの周期を設定可能に構成されている。
非同期カウンタ３４は、図５のタイミングチャートに示すように、パルス発生器３２からクロックパルスが入力される度に、Ｎｏ．０パルス信号、Ｎｏ．１パルス信号、…、Ｎｏ．４パルス信号、Ｎｏ．５パルス信号をそれぞれＮｏ．０出力端子〜Ｎｏ．５出力端子から出力する。なお、Ｎｏ．５パルス信号が出力された後は、次のクロックパルスが入力されたときにカウンタがリセットされる。したがって、クロックパルスが入力される度に、Ｎｏ．０パルス信号の出力、…、Ｎｏ．５パルス信号の出力、リセットが２秒から３秒間隔で順番に繰り替えされる。
【００２１】
音声発生器３６は、六種類の音声信号、例えば、「バキューン」、「ワンワン」、「ニャー」、「チュー」、「ピヨピヨ」、「コケコッコ」等の音声信号を発生させる電気回路を備えている。音声発生器３６は、例えば、図２に示すように、Ｎｏ．０入力端子にパルス信号が入力されたときに音声信号「バキューン」の電気回路が動作し、Ｎｏ．１入力端子にパルス信号が入力されたときに音声信号「ワンワン」の電気回路が動作する。同様に、Ｎｏ．２入力端子、Ｎｏ．３入力端子、Ｎｏ．４入力端子、Ｎｏ．５入力端子にそれぞれパルス信号が入力されたときに、音声信号「ニャー」、「チュー」、「ピヨピヨ」、「コケコッコ」の電気回路が動作する。
【００２２】
音声発生器３６のＮｏ．０入力端子は、図２に示すように、非同期カウンタ３４のＮｏ．０出力端子に接続されている。音声発生器３６のＮｏ．１入力端子は、Ｎｏ．１工作機械Ｍ１に対応する接点増幅器２０のｂ接点Ｒｙ２出力（以下、Ｎｏ．１Ｒｙ２という）を介して非同期カウンタ３４のＮｏ．１出力端子に接続されている。同様に、音声発生器３６のＮｏ．２入力端子、…、Ｎｏ．５入力端子は、それぞれＮｏ．２Ｒｙ２、…、Ｎｏ．５Ｒｙ２を介して非同期カウンタ３４のＮｏ．２出力端子、…、Ｎｏ．５出力端子に接続されている。
【００２３】
このため、非同期カウンタ３４からＮｏ．０パルス信号が出力されると、音声発生器３６の音声信号「バキューン」の電気回路が動作する。次に、非同期カウンタ３４からＮｏ．１パルス信号が出力されると、Ｎｏ．１Ｒｙ２がオンの状態で、音声発生器３６の音声信号「ワンワン」の電気回路が動作する。同様に、非同期カウンタ３４からＮｏ．２パルス信号、…、Ｎｏ．５パルス信号が順番に出力されると、Ｎｏ．２Ｒｙ２、…、Ｎｏ．５Ｒｙ２オンの状態で、音声発生器３６の音声信号「ニャー」、…、「コケコッコ」の電気回路が順番に動作する。
【００２４】
音声発生器３６の出力信号（音声信号）はボリューム抵抗３８、ケーブル３９、イヤホーンジャック３９ｊを介して監視用電話機４０に接続される。
監視用電話機４０は、イヤホーンジャック３９ｊが接続された状態で、外部から電話が掛かってきたときにその電話をつなぐ自動着信機能と、工作機械の停止に関連する音声信号が入力されたときに自動的に所定の電話番号の電話機に対して発信する自動発信機能とを備えている。
即ち、前述の接点増幅回路２０及び音声発生装置３０が本発明の音声変換手段に相当し、音声発生装置３０が本発明の音声発生手段に相当する。
【００２５】
次に、本実施形態に係る監視装置１０の動作を説明する。
先ず、Ｎｏ．１〜Ｎｏ．５工作機械Ｍ１〜Ｍ５が全て運転中の場合を例に説明する。このとき、各工作機械Ｍ１〜Ｍ５の運転表示ランプ２は点灯しているため、各接点増幅器２０の光センサー２４ｓは光を検出する。このため、電気回路部２６のトランジスタＴｒが導通し、リレーＲｃのコイルが励磁される。これによって、各接点増幅器２０のｂ接点出力、即ち、Ｎｏ．１Ｒｙ２、Ｎｏ．２Ｒｙ２、Ｎｏ．３Ｒｙ２、Ｎｏ．４Ｒｙ２、Ｎｏ．５Ｒｙ２がオフする。
【００２６】
この状態で、音声発生装置３０の非同期カウンタ３４のＮｏ．０出力端子、Ｎｏ．１出力端子、…、Ｎｏ．５出力端子から順番にＮｏ．０パルス信号、Ｎｏ．１パルス信号、…、Ｎｏ．５パルス信号が出力されると、Ｎｏ．０パルス信号のみが音声発生器３６のＮｏ．０入力端子に入力され、音声信号「バキューン」の電気回路のみが動作する。
したがって、この状態で、監視用電話機４０に外部から電話を掛けると、「バキューン」という音が約１８秒間隔で聞こえるようになる。これによって、Ｎｏ．１〜Ｎｏ．５工作機械Ｍ１〜Ｍ５が全て運転中であることが確認できる。なお、Ｎｏ．１〜Ｎｏ．５工作機械Ｍ１〜Ｍ５の運転／停止とは無関係の音声信号「バキューン」を発生させるようにしたのは、監視装置１０が正常に動作していることを確認できるようにするためである。
【００２７】
この状態から例えば、Ｎｏ．３工作機械Ｍ３が何らかの原因で停止すると、そのＮｏ．３工作機械Ｍ３の運転表示ランプ２が消灯する。これによって、Ｎｏ．３工作機械Ｍ３に対応する接点増幅器２０の光センサー２４ｓが光を検出しなくなり、その光センサー２４ｓの抵抗値が所定値まで上昇する。これによって、トランジスタＴｒのベースＢに加わる電圧が基準値よりも低下し、トランジスタＴｒの導通が解除される。この結果、リレーＲｃのコイルの励磁が解除され、接点増幅器２０のｂ接点出力Ｎｏ．３Ｒｙ２がオンする。これによって、非同期カウンタ３４から出力されたＮｏ．３パルス信号が音声発生器３６のＮｏ．３入力端子に入力可能となる。そして、Ｎｏ．３パルス信号が音声発生器３６に入力されたタイミングで、音声信号「チュー」の電気回路が動作する。
【００２８】
監視用電話機４０は、Ｎｏ．３工作機械Ｍ３の停止に関連する音声信号「チュー」が入力されたときに自動発信機能が動作し、所定の電話番号の電話機に対して発信を行う。これによって、電話を受けた工作機械の担当者は電話の音声を聞くことで、Ｎｏ．３工作機械Ｍ３が停止していることが分かる。
また、他の工作機械が停止した場合にも、監視用電話機４０は自動発信機能により所定の電話番号の電話機に対して発信を行う。このため、工作機械の担当者は電話の音声を聞くことで、いずれの工作機械が停止しているかを知ることができる。
【００２９】
このように、本実施形態に係る監視装置１０によると、監視用電話機４０に対して電話を掛けて、電話の音声により機械の運転／停止状態を確認できるため、工作機械担当者の工場内の見回り負担を軽減できる。
また、機械の運転表示ランプ２の光を光センサー２４ｓで検出し、その光センサー２４ｓの動作信号で音声発生装置３０を動作させる構成のため、工作機械側を改造することなくその工作機械の停止状態の音声信号を得ることができる。
【００３０】
また、工作機械の運転表示ランプ２を覆って外部からの光を遮断するケース内に、その運転表示ランプと対向して光センサー２４ｓを取付ける構成のため、運転表示ランプ２の光が微弱であっても光センサー２４ｓを確実に動作させることができる。
また、監視用電話機４０には、工作機械の停止状態に対応する音声信号が入力されたときに、所定の電話番号の電話機に対して発信可能な自動発信機能を備えているため、担当者は速やかに機械の停止状態を知ることができる。
【００３１】
（実施形態２）
以下、図６に基づいて本発明の実施形態２に係る監視装置の説明を行う。本実施形態に係る監視装置５０は、実施形態１の監視装置１０における接点増幅器２０を改造したものであり、音声発生装置３０と監視用電話機４０は実施形態１で使用したものと等しい構造のものが使用される。
本実施形態に係る監視装置５０の接点増幅器６０は、運転表示ランプ２が明るい場合に対応する接点増幅器であり、光センサー６４ｓは運転表示ランプ２から所定距離だけ離した位置に設置される。このため、担当者は機側から運転表示ランプ２を確認することができるようになり、実施形態１で説明した運転表示補助ランプ２８を設ける必要がなくなる。なお、接点増幅器６０の回路構成は実施形態１で説明した接点増幅器２０の回路構成と同様であるため、説明を省略する。
【００３２】
ここで、実施形態１、２では、運転表示ランプ２の点灯あるいは消灯を光センサー２４ｓ，６４ｓで検出して、工作機械の運転／停止状態を検知する例を示したが、運転停止ランプの点灯あるいは消灯を光センサー２４ｓ，６４ｓで検出して、工作機械の運転／停止状態を検知することも可能である。
また、工作機械の運転／停止状態を表す信号をその工作機械から容易に取出すことが可能であれば、光センサー２４ｓ，６４ｓ等を設けずにその工作機械の運転／停止信号を直接的に音声発生装置３０に入力することも可能である。
【００３３】
また、実施形態１では、工作機械が停止状態のときに音声発生装置３０の音声信号の電気回路を動作させる例を示したが、逆に工作機械が運転状態のときに前記音声信号の電気回路を動作させることも可能である。
また、実施形態１では、五台の工作機械の運転／停止状態を確認する例を示したが、工作機械の台数は適宜変更可能である。
また、実施形態１では、音声信号を便宜上動物の鳴き声で表したが、人の言葉で表すことも可能である。
【００３４】
また、実施形態１、２では、工作機械の運転／停止状態を監視する監視装置１０，５０を例に説明を行ったが、これ以外の機械、例えば、炉、化学プラント、食品プラント等にも本発明の監視装置を使用することが可能である。
また、実施形態２に係る監視装置５０を使用して、例えば、住宅における各部屋の照明の点灯／消灯状態を電話で確認することも可能である。
また、実施形態２に係る監視装置５０を使用して、例えば、金庫の扉の開閉状態を確認したり、金庫の扉が開かれたときに、監視用電話機４０で所定の電話番号の電話機に自動発信することも可能である。
【００３５】
なお、特許請求の範囲には記載されていないが、実施形態に記載されている発明を以下に列記する。
（１）　各部屋の照明の点灯／消灯状態を検出する光センサーと、
光センサーの動作信号を受けて音声信号を発生させる音声発生手段と、
外部から掛かってきた電話に対して前記音声発生手段の音声信号に基づく音声を伝えることができる監視用電話機と、
を有することを特徴とする監視装置。
この発明によって、各部屋の照明の点灯／消灯状態を電話で確認することが可能となる。
（２）　密閉された室内に設置される光センサーと、
光センサーの動作信号を受けて音声信号を発生させる音声発生手段と、
外部から掛かってきた電話に対して前記音声発生手段の音声信号に基づく音声を伝えることができる監視用電話機と、
を有することを特徴とする監視装置。
この発明によって、密閉された部屋（例えば、金庫や倉庫等）の開閉状態を電話で確認することが可能となる。
【００３６】
（３）　（１）（２）に記載された監視装置であって、
監視用電話機は、音声信号が入力されたときに、所定の電話番号の電話機に対して発信可能な自動発信機能を備えていることを特徴とする監視装置。
このため、早期に部屋の開閉状態等を確認できる。
（４）　機械の運転信号あるいは停止信号を出力する出力装置であって、
機械の運転状態あるいは停止状態を表示する表示ランプの光を検出可能な光センサーと、
光センサーの動作信号をオンオフ信号に変換する信号変換手段とを有しており、
光センサーは、表示ランプを覆う遮光性のケース内にその表示ランプとほぼ対向して取付けられていることを特徴とする出力装置。
機械側を改造することなく、機械の運転信号あるいは停止信号を容易に取出すことができる。
【００３７】
【発明の効果】
本発明によると、監視用電話機に対して電話を掛けて、音声が聞こえるか否かで機械の運転／停止状態を確認できるため、その機械の担当者の工場内見回り負担を軽減できる。
【図面の簡単な説明】
【図１】本発明の実施形態１に係る監視装置の接点増幅器の構成図である。
【図２】監視装置の音声発生装置及び監視用電話機の構成図である。
【図３】接点増幅器のセンサー部の縦断面図（Ａ図）及び斜視図（Ｂ図）である。
【図４】接点増幅器の電気回路図である。
【図５】音声発生装置に使用される非同期カウンタのタイムチャートである。
【図６】接点増幅器の変更例を表す電気回路図である。
【符号の説明】
２　　　運転表示ランプ
２０　　接点増幅器（音声変換手段）
２４　　センサー部
２４ｓ　光センサー
２４ｃ　固定ブロック
２６　　電気回路部
３０　　音声発生装置（音声発生手段、音声変換手段）
４０　　監視用電話機
【図１】
2004023550.tif 000003
【図２】
2004023550.tif 000004
【図３】
2004023550.tif 000005
【図４】
2004023550.tif 000006
【図５】
2004023550.tif 000007
【図６】
2004023550.tif 000008